【手続補正書】
【提出日】平成17年2月18日(2005.2.18)
【手続補正１】
【補正対象書類名】明細書
【補正対象項目名】請求項２
【補正方法】変更
【補正の内容】
【請求項２】
前記フローティングリングは軸受けハウジングに回転不能に係止されていると共に前記被密封流体の流入側と反対の端面にシール面を有し、前記シール面と密接可能な対向シール面が設けられた静止環を有することを特徴とする請求項１に記載の軸封装置。
【手続補正２】
【補正対象書類名】明細書
【補正対象項目名】請求項３
【補正方法】変更
【補正の内容】
【請求項３】
前記フローティングリングの端部外周が軸受けハウジングに弾性シールリングを介して保持されていることを特徴とする請求項１に記載の軸封装置。
【手続補正３】
【補正対象書類名】明細書
【補正対象項目名】０００３
【補正方法】変更
【補正の内容】
【０００３】
この回転軸１７５が貫通した回転軸１７５とケーシング１５１との間は、３つの空室１５２Ａ、１５２Ｂ、１５２Ｃに区画されている。この空室１５２Ａ、１５２Ｂ、１５２Ｃは被密封流体Ａ側から順に第１空室１５２Ａ、第２空室１５２Ｂ及び第３空室１５
２Ｃに形成されている。この第１空室１５２Ａには、例えば、被密封流体の圧力が２０ＭＰａの場合には、この被密封流体の圧力より１段下げた１５ＭＰａの圧力流体を第１配管１５３Ａを介して供給されている。次に、第２空室１５２Ｂには第１空室１５２Ａ内の圧力より更に１段下げた１０ＭＰａの圧力流体を第２配管１５３Ｂを介して供給している。更に、第３空室には、第２空室１５２Ｂ内の圧力より更に１段下げた５ＭＰａの圧力流体を第３配管１５３Ｃを介して供給している。このように被密封流体の圧力に応じて多段の圧力差を設けないとメカニカルシール装置等のシール部が損傷することになる。
【手続補正４】
【補正対象書類名】明細書
【補正対象項目名】０００４
【補正方法】変更
【補正の内容】
【０００４】
この第１空室１５２Ａ、第２空室１５２Ｂ及び第３空室１５２Ｃには、各々メカニカルシール装置１１０、１２０、１３０が内在し、この各メカニカルシール装置１１０、１２０、１３０は、被密封流体Ａ側から外部に向かって順に第１メカニカルシール装置１１０と、第２メカニカルシール装置１２０と、第３メカニカルシール装置１３０とが配置されている。第１メカニカルシール装置１１０は、被密封流体Ａが高圧であるために高圧用のメカニカルシール装置である。更に、第２メカニカルシール装置１２０、第３メカニカルシール装置１３０も圧力に応じて高圧用メカニカルシール装置１２０、１３０が用いられている。
【手続補正５】
【補正対象書類名】明細書
【補正対象項目名】０００５
【補正方法】変更
【補正の内容】
【０００５】
攪拌機１５０等の被密封流体は、高圧流体であるために、メカニカルシール装置１１０、１２０、１３０が用いられているものであって、ゴム状弾性材製のパッキンでは耐圧能力に問題が生じる。この第１メカニカルシール装置１１０は、高圧流体用であって、回転軸１７５にＯリングを介してスリーブ１１１が嵌着されている。スリーブ１１１の段部にはばね座用の支持部１１２が嵌着されている。又、スリーブ１１１の端部側に回転密封環１１３がＯリングを介して移動自在に嵌合している。そして、支持部１１２に保持されたコイルスプリング１１４が回転密封環１１３を押圧するように装着されている。一方、回転密封環１１３の摺動シール面１１３Ａに密接する対向シール面１１５Ａを設けた静止用密封環１１５が、シールリング（Ｏリング）１１６を介してケース１５１の保持部に嵌着している。
【手続補正６】
【補正対象書類名】明細書
【補正対象項目名】００１３
【補正方法】変更
【補正の内容】
【００１３】
この請求項１に係わる本発明の軸封装置では、フローティングリングは被密封流体の圧力を減圧する機能であり、シール面のシール機能を必要とするよりは耐圧強度を必要とする構成にされている。このためにフローティングリングは耐強度、耐摩耗性の安価な材料にすればよいので、安価なシール部と組み合わせると、従来のシールを目的とするシール装置では得ることのできない耐圧能力とシール能力を有する軸封装置が得られる。
【手続補正７】
【補正対象書類名】明細書
【補正対象項目名】００１４
【補正方法】変更
【補正の内容】
【００１４】
又、フローティングリングは被密封流体の圧力を直接減圧するので、第１シール部は低圧用で、しかも安価なシール部を用いることが可能になる。更に、フローティングリングは１個で高圧流体を減圧することが可能になるから、軸封装置を小型にできると共に、取付構造を簡単にすることが可能になる。
【手続補正８】
【補正対象書類名】明細書
【補正対象項目名】００１５
【補正方法】変更
【補正の内容】
【００１５】
請求項２に係わる本発明の軸封装置は、フローティングリングには軸受けハウジングに回転不能に係止されていると共に、流入端面と反対の端面にシール面を有し、シール面と密接可能な対向シール面が設けられた静止環を有するものである。
【手続補正９】
【補正対象書類名】明細書
【補正対象項目名】００１６
【補正方法】変更
【補正の内容】
【００１６】
フローティングリングが軸受けハウジングに回転不能に係止されているので、取付が極めて容易である。更に、フローティングリングの減圧能力に応じて変更するとき又は摩耗により機能が低下したときには簡単に取り替えることが可能になる。更に、フローティングリングにより被密封流体の圧力を低圧にできるので、第１シール部は、低圧のシール能力のものであって、しかも、製造を安価にすることが可能になる。更に、フローティングリングは、シール面により径方向へフリー状態に保持されているので、流体の圧力に対応して減圧間隙を自由形成することが可能になる。
【手続補正１０】
【補正対象書類名】明細書
【補正対象項目名】００１７
【補正方法】変更
【補正の内容】
【００１７】
また、フローティングリングはシール面を除いて全面に圧力を受けるから、セラミック等の製造容易で加工精度に優れた部品を用いることが可能になる。しかもシール面は被密封流体の圧力で径方向へ移動自在に密接できるから、高圧流体（シーラント）を減圧間隙から流して効果的に減圧することが可能になる。
【手続補正１１】
【補正対象書類名】明細書
【補正対象項目名】００１８
【補正方法】変更
【補正の内容】
【００１８】
請求項３に係わる本発明の軸封装置は、フローティングリングの端部外周が軸受けハウジングに弾性シールリングを介して保持されているものである。
【手続補正１２】
【補正対象書類名】明細書
【補正対象項目名】００１９
【補正方法】変更
【補正の内容】
【００１９】
この請求項３に係わる本発明の軸封装置では、フローティングリングの端部外周が軸受けハウジングにシールリングを介して保持されているので、フローティングリングの取付構造が容易になる。しかも、シールリングの弾性変形により被密封流体の圧力に対して減圧間隙を径方向へ移動自在に対応することが可能になる。
【手続補正１３】
【補正対象書類名】明細書
【補正対象項目名】００２１
【補正方法】変更
【補正の内容】
【００２１】
この請求項４の本発明の軸封装置では、被密封流体の高圧力を直接にフローティングリングで減圧するためにフローティングリングを通過する被密封流体の流量は多くなる。この第１シール部はメカニカルシールを用いると効果的にシールすることが可能になる。そして、軸封装置はフローティングリングとメカニカルシールの組み合わせで高圧の被密封流体を簡単にシールすることが可能になる。しかも、フローティングリングにより耐圧性を有するから、メカニカルシールは耐久性を発揮する。
【手続補正１４】
【補正対象書類名】明細書
【補正対象項目名】００２５
【補正方法】変更
【補正の内容】
【００２５】
更に、軸受けハウジング６０には内部環状溝６９に連通する流出通路６７が形成されている。この流出通路６７は、軸受けハウジング６０に設けられた第１配管７２に連通している。この第１配管７２の下流にはバルブＶ２を介して貯蔵タンクＴが設けられている。更に、貯蔵タンクＴに第１配管７２により連通してポンプＰ．Ｆが設けられている。そして、フローティングリング２により減圧された被密封流体は、流出通路６７と第１配管７２を介して貯蔵タンクＴに戻されて収容される。
【手続補正１５】
【補正対象書類名】明細書
【補正対象項目名】００２６
【補正方法】変更
【補正の内容】
【００２６】
更に、この被密封流体は、貯蔵タンクＴからポンプＰ．Ｆの作動により、第１配管７２を介して機内部６６に戻される。この被密封流体を輸送するポンプＰ．Ｆは、貯蔵タンクＴに回収された被密封流体の圧力Ｐ１が圧力降下されて低圧であるから、特殊のポンプを用いることなく、安価なポンプを用いることが可能になる。
【手続補正１６】
【補正対象書類名】明細書
【補正対象項目名】００３２
【補正方法】変更
【補正の内容】
【００３２】
この第１シール部１５は、ゴム材製のシールリップを用いることもできる。この第１シール部１５は、低圧力の被密封流体が外部Ｂへ漏洩するのを防止すればよいから、片面シールにすることが可能である。１実施例として、ゴム材製のパッキン、ゴム材製のＯリング等も利用できる。
【手続補正１７】
【補正対象書類名】明細書
【補正対象項目名】００３４
【補正方法】変更
【補正の内容】
【００３４】
支持スリーブ５５に固定されたドライブピン５５Ａは、回転密封環１６と係止して共周りするように保持している。そして、回転密封環１６は支持スリーブ５５に取り付けられて複数のコイルばね１９により静止用密封環１７方向へ押圧されている。この回転密封環１６のシール面１６Ａと静止用密封環１７の対向シール面１７Ａとの密接によりフローティングリング２側から流入する被密封流体はシールされる。
【手続補正１８】
【補正対象書類名】図面
【補正対象項目名】図３
【補正方法】変更
【補正の内容】
【図３】
2003254444.tif 000001